(57)【要約】【課題】本発明は、施錠システムの使い勝手をさらに向上することを目的とするものである。【解決手段】そしてこの目的を達成するために、管理空間の室内外に室内、外アンテナ１１１，１１２を設けるとともに、それらの室内、外アンテナ１１１，１１２との交信を行うことができる第１、第２の鍵１２１，１２２を設けたものであり、第１、第２の鍵１２１，１２２は、所有者情報を保有させたので、誰が外出・帰宅したかを自動的に検出して報知手段の設定を行うことができるものである。【選択図】図１
2006301679.tif 000002
【特許請求の範囲】
【請求項１】
開閉体を有する管理空間と、この管理空間の前記開閉体に設けた錠と、前記管理空間の内外にそれぞれ設けた室内、外アンテナと、この室内、外アンテナからの信号を処理して前記錠の開閉を行う制御装置とを備え、前記室内、外アンテナとの交信を行う第１、第２の鍵を設け、これらの第１、第２の鍵は、所有者情報を保有し、前記制御装置には報知手段を接続した施錠システム。
【請求項２】
管理空間外に報知手段を設けた請求項１に記載の施錠システム。
【請求項３】
制御装置は、第１、第２の鍵との室内、外アンテナを介した交信結果により、前記管理空間に設定すべき警報レベルを決定する請求項１に記載の施錠システム。
【請求項４】
管理空間を、設定すべき警報レベルに設定できない場合、その旨を提示する請求項３に記載の施錠システム。
【請求項５】
第１、第２の鍵の一方は大人用、他方は子供用とした請求項３に記載の施錠システム。
【請求項６】
制御装置に接続した報知手段は警備会社に連絡する構成とした請求項１に記載の施錠システム。
【発明の詳細な説明】
【技術分野】
【０００１】
本発明は、例えば、家の様に、扉などの開閉体を有する管理空間の施錠システムに関するものである。
【背景技術】
【０００２】
近年、個人の家などにも、いわゆるホームセキュリティシステムが導入され、その安全性を高めるようにしている。具体的には、家に警報装置を設置し、家の住人は外出時にその施錠システムの制御装置を手動操作して、警備機能をオンにするようにしている。また、外出時に制御装置を手動操作することを忘れ、家が無人状態であるにもかかわらず、警備機能がオフ状態であることを防ぐために、家の住人全員が外出するのを検出した時、警備機能がオフ状態であるならば、その旨を家の住人に通知する、あるいは、自動的に警備機能をオンにするものも提案されている。
【０００３】
そして、このように警備機能をオンにした状態においては、不審者が正規の解錠方法によらずに扉を開放する、または、窓を壊して室内に侵入すると、それらを検知して、警備会社に連絡が行くような構成となっている。
【０００４】
例えば、これに関する先行技術文献情報としては、下記特許文献１が知られている。
【特許文献１】特開２００４−３６２２５２号公報
【発明の開示】
【発明が解決しようとする課題】
【０００５】
しかし、上記従来例においては、次の様な問題点があった。
【０００６】
第１に、家の住人全員が外出し、この家が無人状態になったことを検出した時に、警備機能がオフであれば、この家の住人への警備機能がオフであることの通知、あるいは、自動的に整備機能をオンにする構成であるため、この家の住人のうち、誰が在宅しているかに応じて警備レベルを設定すること、例えば、子供のみが在宅している場合は警備レベルを引き上げる等の動作を実現できない。
【０００７】
第２に、住人が外出する時に警備機能をオンにし忘れることを防止することに限定しており、帰宅時に警備機能をオフする等の動作に言及していない。このため、無人状態の家に帰宅時に、警備機能をオフせずに窓を開けると警備会社に通報され、いわゆる、『誤報』と同様の現象が発生する。
【０００８】
そこで本発明は、上記の問題点を解決し、施錠システムの使い勝手をさらに向上することを目的とするものである。
【課題を解決するための手段】
【０００９】
そしてこの目的を達成するために、本発明は、開閉体を有する管理空間と、この管理空間の前記開閉体に設けた錠と、前記管理空間の内外にそれぞれ設けた室内、外アンテナと、この室内、外アンテナからの信号を処理して前記錠の開閉を行う制御装置とを備え、前記室内、外アンテナとの交信を行う第１、第２の鍵を設け、これらの第１、第２の鍵は、所有者情報を保有し、前記制御装置には報知手段を接続したものである。
【００１０】
すなわち、以上の様な構成とすれば、この家の住人が鍵を所持して室内から室外に出た時、あるいは、室外から室内に入った時には、室内、外アンテナにより外出・帰宅が自動的に検知・判断されるので、それにより警備機能が自動的にオン、オフされることになる。
【００１１】
したがって、管理空間が無人である時に、鍵を持たぬ者が開閉体を開けたり、あるいは他の部分、例えば窓が開閉された場合にはそれを検知して制御装置を介して報知装置により警報動作を行うことができるようになる。
【００１２】
よって、外出・帰宅時に手動操作による警備機能をオン、オフする必要がなく、使い勝手の良いものとなる。
【発明の効果】
【００１３】
以上のように本発明は、管理空間の室内外に室内、外アンテナを設けるとともに、それらの室内、外アンテナとの交信を行うことができる鍵を設けたものであるので、外出・帰宅を自動的に検知して、警備機能をオン、オフにすることができるので、極めて使い勝手の良いものとなる。
【発明を実施するための最良の形態】
【００１４】
以下、本発明の一実施形態を、家に設置した施錠システムについて説明する。
【００１５】
図１において、１０１は家の外壁を示し、この外壁１０１には開閉体の一例として用いた扉１０２と窓ガラス１０３が設けられている。扉１０２の室内、外それぞれには、室内側ノブ１０４、室外側ノブ１０７が設けられている。室内側ノブ１０４には、室内側タッチセンサ１０５、室内側表示機１０６が設けられている。室外側ノブ１０７には、室外側タッチセンサ１０８、室外側表示機１０９、室外側警報器（小）１１０が設けられている。また、扉１０２近傍の室内外の壁面には室内アンテナ１１１と室外アンテナ１１２が設けられている。窓ガラス１０３には、窓ガラス１０３の開放を検出する窓センサ１１３が設けられている。室内には制御装置１１４が設けられ、現在の警報レベル、管理対象の扉１０２、窓ガラス１０３の開閉状態を表示するディスプレイ１１５が設けられている。制御装置１１４には、通信回線１１６を介して、警備会社の警備センター１１７に接続されている。また、外壁１０１には、不審者侵入を検出した時に、この家の近隣にその旨を報知する、室外側警報器（大）１１８が設けられている。
【００１６】
一方、これらの制御装置１１４や扉１０２、窓ガラス１０３に関係する各種センサやスイッチとは独立して、携帯用の鍵１２１，１２２が設けられている。これらの鍵１２１，１２２のうち、１２１はこの実施形態では大人用の鍵となっており、また、１２２は子供用の鍵となっている。
【００１７】
図２は図１に示したものの、制御ブロックを示している。この図２に示す様に、扉１０２には、錠２０１と、扉１０２の開閉状態を検知するドアスイッチ２０２が設けられている。また、制御装置１１４は制御部２０３と通信ユニット部２０４とディスプレイ１１５で構成されている。
【００１８】
通信ユニット部２０４は制御部２０３と警備会社の警備センター１１７の交信を行うものである。制御部２０３には図１に示した窓センサ１１３が接続されており、この制御部２０３に接続される窓センサ１１３、扉１０２に接続される各種センサ、さらには、ディスプレイ１１５の制御を全てこの制御部２０３が行うようになっている。
【００１９】
大人用の鍵１２１には、メモリ２２１、制御器２２２、アンテナ２２３が内蔵されている。メモリ２２１にはこの鍵の所持者が大人であるという情報が記録されている。また、子供用の鍵１２２には、メモリ２３１、制御器２３２、アンテナ２３３が内蔵されている。メモリ２３１にはこの鍵の所持者が子供であるという情報が記録されている。
【００２０】
また、この実施形態における施錠システムでは、３段階の警備レベルが定義されている。３段階の警備レベルと、それぞれの警報動作内容、設定される在宅者状況を（表１）に示す。
【００２１】
【表１】
2006301679.tif 000003
【００２２】
レベル１は大人を含む住人が在宅している時の警備レベルである。この警備レベルにおいて、扉１０２や窓ガラス１０３が開いた場合、それは住人によって意図されたものと判断され、制御装置１１４のディスプレイ１１５に扉１０２・窓ガラス１０３が開いている旨が表示されるが、警備会社への通報や警報動作はしない。
【００２３】
レベル２は子供のみが在宅している状態で、いわゆる留守番状態の時の警備レベルである。この警備レベルにおいて、扉１０２や窓ガラス１０３が開いた場合、それは住人によって意図されたものと判断されるが、在宅者は子供のみであり警備上、安全ではないので、制御装置１１４のディスプレイ１１５に扉１０２・窓ガラス１０３が開いている旨を表示し、扉１０２・窓ガラス１０３を閉める旨の音声メッセージを発する。この時は、警備会社への通報はしない。
【００２４】
レベル３は住人全員が外出した、家が無人状態の時の警備レベルである。この警備レベルにおいて、扉１０２や窓ガラス１０３が開いた場合、それは住人以外の者による不正侵入と判断され、警備会社に通報すると共に、室外警報器を動作させる等の警報動作を行う。
【００２５】
以上の構成において、この施錠システムの動作について説明する。図３は施錠システムの全体的なフローチャートを説明しており、扉１０２を通した外出・帰宅チェックを行うルーチン３０１と、扉１０２、窓ガラス１０３の開放チェックを行うルーチン３０２から構成され、これが繰り返し実行される。
【００２６】
図４は扉１０２を通した外出・帰宅チェックを行うルーチン３０１のフローチャートを示しており、誰が外出したかをチェックするルーチンと、誰が帰宅したかを判定するルーチンに分けられる。住人が外出する時は、室内側から扉１０２を開けるので、室内側タッチセンサ１０５に触れることで起動する室内側タッチセンサ接触時処理４０１において、誰が外出したかをチェックする。また、住人が帰宅する時は、室外側から扉１０２を開けるので、室外側タッチセンサ１０８に触れることで起動する室外側タッチセンサ接触時処理４０２において、誰が帰宅したかをチェックする。
【００２７】
図５は室内側タッチセンサ接触時処理４０１のフローチャートであり、これを用いて、住人が外出する時の動作を説明する。住人が外出しようとして室内側タッチセンサ１０５に触れると、室内側タッチセンサ接触時処理４０１が起動する。まず、室内側アンテナ１１１を介して制御装置１１４と鍵１２１，１２２の間の通信が行われる。鍵から取得した個人情報が居住者データ２０３ａと合致するかの認証処理を錠施解錠判定手段２０３ｄにて行い、認証に成功すると、錠２０１は解錠される。認証に失敗した場合はこの処理４０１は終了する。錠２０１の解錠後、扉１０２が開けられ、閉じられると、錠２０１は施錠され、室外側での認証が行われる。この時に、住人が実際に室内から室外に移動した場合には、先に認証成功した鍵でもって認証に成功するので、住人のうち、誰が外出したかを特定でき、これでもって、在宅者判定手段２０３ｅが在宅者データ２０３ｂを更新する。また、在宅者判定手段２０３ｅが在宅者データ２０３ｂの大人人数と子供人数をチェックし、（表１）と照らし合わせて、警備レベルデータ２０３ｃを更新する。
【００２８】
また、室外側での認証に失敗した場合は、扉１０２は開けたものの、室内から室外への移動はなかったものと判断され、在宅者データ２０３ｂは更新されず、警備レベルデータ２０３ｃも更新されない。
【００２９】
図６は室外側タッチセンサ接触時処理４０２のフローチャートであり、これを用いて、住人が帰宅する時の動作を説明する。住人が帰宅しようとして室外側タッチセンサ１０８に触れると、室外側タッチセンサ接触時処理４０２が起動する。まず、室外側アンテナ１１２を介して制御装置１１４と鍵１２１，１２２の間の通信が行われる。鍵から取得した個人情報が居住者データ２０３ａと合致するかの認証処理を錠施解錠判定手段２０３ｄにて行い、認証に成功すると、錠２０１は解錠される。認証に失敗した場合はこの処理４０２は終了する。錠２０１の解錠後、扉１０２が開けられ、閉じられると、錠２０１は施錠され、室内側での認証が行われる。この時に、住人が実際に室外から室内に移動した場合には、先に認証成功した鍵でもって認証に成功するので、住人のうち、誰が帰宅したかを特定でき、これでもって、在宅者判定手段２０３ｅが在宅者データ２０３ｂを更新する。また、在宅者判定手段２０３ｅが在宅者データ２０３ｂの大人人数と子供人数をチェックし、（表１）と照らし合わせて、警備レベルデータ２０３ｃを更新する。
【００３０】
また、室内側での認証に失敗した場合は、扉１０２は開けたものの、室外から室内への移動はなかったものと判断され、在宅者データ２０３ｂは更新されず、警備レベルデータ２０３ｃも更新されない。
【００３１】
図７は在宅者判定手段２０３ｅが警備レベルデータ２０３ｃを更新する処理のフローチャートを示し、これを用いて、警備レベルを変更する手順を説明する。室内側タッチセンサ接触時処理４０１、室外側タッチセンサ接触時処理４０２において、住人の外出・帰宅が検出され、在宅者データ２０３ｂが更新されると、警備レベル更新処理が起動し、在宅者データ２０３ｂの内容により、（表１）と照らし合わせて、警備レベルデータ２０３ｃが更新される。
【００３２】
子供の在宅・不在に関係なく、大人が在宅している場合は、（表１）により、警備レベル１となるので、警備レベルデータ２０３ｃをレベル１に更新する。また、外出時は室外側表示機１０９に、帰宅時は室内側表示機１０６に「警備レベル更新完了」の旨を表示し、制御装置１１４のディスプレイ１１５にレベル１を示す「在宅」を表示する。
【００３３】
子供のみが在宅している場合は、（表１）により、警備レベル２となるので、警備レベルデータ２０３ｃをレベル２に更新する。また、外出時は室外側表示機１０９に、帰宅時は室内側表示機１０６に「警備レベル更新完了」の旨を表示し、制御装置１１４のディスプレイ１１５にレベル２を示す「留守番」を表示する。
【００３４】
在宅者がいない、すなわち、住人全員が外出し、家が無人の場合は、（表１）により、警備レベル３となる。この場合は、次に、ドアスイッチ２０２、窓センサ１１３を用いて、この家の全ての扉１０２、窓ガラス１０３が閉じられているかのチェックを行う。閉じられている場合は、警備レベルデータ２０３ｃをレベル３に更新する。また、外出時は室外側表示機１０９に、帰宅時は室内側表示機１０６に「警備レベル更新完了」の旨を表示し、制御装置１１４のディスプレイ１１５にレベル３を示す「外出」を表示する。一方、１箇所でも開いている場合は、室外側表示機１０９に「警備レベル更新不可」の旨を表示し、室外側警報器（小）１１０からも警告音声信号を発し、警備レベルデータ２０３ｃを更新しない。この場合、住人は一旦室内に入り、開いている扉１０２、窓ガラス１０３を閉めてから、再度、扉１０２を通した外出を行うことになる。
【００３５】
住人が外出あるいは帰宅する時の具体的な処理を、いくつかのケースにより説明する。
【００３６】
（ケース１：大人１人、子供１人が在宅している時に、大人１人が外出する場合）
鍵１２１を所持した大人が室内側タッチセンサ１０５に触れることにより、室内側タッチセンサ接触時処理４０１が起動する。まず、室内側アンテナ１１１を介して制御装置１１４と鍵１２１の間の通信が行われる。鍵１２１を用いた認証が成功し、錠２０１が解錠される。次に、実際に扉１０２を開けて室内から室外に移動し、扉１０２が閉じられると、錠２０１は施錠され、室外側アンテナ１１２を介して制御装置１１４と鍵１２１の間の通信が行われる。この時、室内・室外共に、同一の鍵１２１により認証に成功するので、大人１人の外出を認識し、在宅者判定手段２０３ｅは在宅者データ２０３ｂから大人１人を抹消する。また、在宅者判定手段２０３ｅは在宅者データ２０３ｂをチェックして、その内容が「大人０人、子供１人」であることから、（表１）と照らし合わせて、警備レベルデータ２０３ｃをレベル２に更新する。また、室外側表示機１０９に「警備レベル更新完了」の旨を表示し、制御装置１１４のディスプレイ１１５にレベル２を示す「留守番」を表示する。
【００３７】
（ケース２：大人１人、子供１人が在宅している時に、子供１人が外出する場合）
鍵１２２を所持した子供が室内側タッチセンサ１０５に触れることにより、室内側タッチセンサ接触時処理４０１が起動する。まず、室内側アンテナ１１１を介して制御装置１１４と鍵１２２の間の通信が行われる。鍵１２２を用いた認証が成功し、錠２０１が解錠される。次に、実際に扉１０２を開けて室内から室外に移動し、扉１０２が閉じられると、錠２０１は施錠され、室外側アンテナ１１２を介して制御装置１１４と鍵１２２の間の通信が行われる。この時、室内・室外共に、同一の鍵１２２により認証に成功するので、子供１人の外出を認識し、在宅者判定手段２０３ｅは在宅者データ２０３ｂから子供１人を抹消する。また、在宅者判定手段２０３ｅは在宅者データ２０３ｂをチェックして、その内容が「大人１人、子供０人」であることから、（表１）と照らし合わせて、警備レベルデータ２０３ｃをレベル１に更新する。また、室外側表示機１０９に「警備レベル更新完了」の旨を表示し、制御装置１１４のディスプレイ１１５にレベル１を示す「在宅」を表示する。
【００３８】
（ケース３：大人１人、子供１人が在宅している時に、大人１人、子供１人が外出する場合）
鍵１２１を所持した大人、あるいは、鍵１２２を所持した子供が室内側タッチセンサ１０５に触れることにより、室内側タッチセンサ接触時処理４０１が起動する。まず、室内側アンテナ１１１を介して制御装置１１４と鍵１２１、鍵１２２の間の通信が行われる。なお、この様に鍵が複数個存在しても、制御装置１１４は、個々の鍵を特定しながら通信することで、誰が外出しようとしているのかを確実に検出することができる。鍵１２１、鍵１２２を用いた認証が成功し、錠２０１が解錠される。次に、実際に扉１０２を開けて室内から室外に移動し、扉１０２が閉じられると、錠２０１は施錠され、室外側アンテナ１１２を介して制御装置１１４と鍵１２１、鍵１２２の間の通信が行われる。この時、室内・室外共に、同一の鍵１２１、鍵１２２により認証に成功するので、大人１人・子供１人の外出を認識し、在宅者判定手段２０３ｅは在宅者データ２０３ｂから大人１人・子供１人を抹消する。また、在宅者判定手段２０３ｅは在宅者データ２０３ｂをチェックして、その内容が「大人０人、子供０人」であることを検出する。（表１）から警備レベル３に更新する必要があり、扉１０２、窓ガラス１０３が閉じられているかを確認する。ドアスイッチ２０２、窓センサ１１３を用いて、これらが全て閉じられていることを検出した場合、警備レベルデータ２０３ｃをレベルに３に更新し、室外側表示機１０９に「警備レベル更新完了」の旨を表示し、制御装置１１４のディスプレイ１１５にレベル１を示す「外出」を表示する。一方、１箇所でも閉じられていないことを検出した場合、警備レベルデータ２０３ｃを更新せず、室外側表示機１０９に「警備レベル更新不可」の旨を表示し、室外側警報器（小）１１０から警告音声信号を発し、制御装置１１４のディスプレイ１１５に「外出設定不能」の旨の表示をする。
【００３９】
（ケース４：子供１人が在宅している時に、大人１人が帰宅する場合）
鍵１２１を所持した大人が室外側タッチセンサ１０８に触れることにより、室外側タッチセンサ接触時処理４０２が起動する。まず、室内側アンテナ１１２を介して制御装置１１４と鍵１２１の間の通信が行われる。鍵１２１を用いた認証が成功し、錠２０１が解錠される。次に、実際に扉１０２を開けて室外から室内に移動し、扉１０２が閉じられると、錠２０１は施錠され、室内側アンテナ１１１を介して制御装置１１４と鍵１２１の間の通信が行われる。この時、室外・室内共に、同一の鍵１２１により認証に成功するので、大人１人の帰宅を認識し、在宅者判定手段２０３ｅは在宅者データ２０３ｂに大人１人を追加する。また、在宅者判定手段２０３ｅは在宅者データ２０３ｂをチェックして、その内容が「大人１人、子供１人」であることから、（表１）と照らし合わせて、警備レベルデータ２０３ｃをレベル１に更新する。また、室外側表示機１０９に「警備レベル更新完了」の旨を表示し、制御装置１１４のディスプレイ１１５にレベル１を示す「在宅」を表示する。
【００４０】
（ケース５：在宅者がいない時に、子供１人が帰宅する場合）
鍵１２２を所持した子供が室外側タッチセンサ１０８に触れることにより、室外側タッチセンサ接触時処理４０２が起動する。まず、室外側アンテナ１１２を介して制御装置１１４と鍵１２２の間の通信が行われる。鍵１２２を用いた認証が成功し、錠２０１が解錠される。次に、実際に扉１０２を開けて室外から室内に移動し、扉１０２が閉じられると、錠２０１は施錠され、室内側アンテナ１１１を介して制御装置１１４と鍵１２２の間の通信が行われる。この時、室外・室内共に、同一の鍵１２２により認証に成功するので、子供１人の帰宅を認識し、在宅者判定手段２０３ｅは在宅者データ２０３ｂに子供１人を追加する。また、在宅者判定手段２０３ｅは在宅者データ２０３ｂをチェックして、その内容が「大人０人、子供１人」であることから、（表１）と照らし合わせて、警備レベルデータ２０３ｃをレベル２に更新する。また、室内側表示機１０６に「警備レベル更新完了」の旨を表示し、制御装置１１４のディスプレイ１１５にレベル２を示す「留守番」を表示する。
【００４１】
次に警備動作について説明する。図８は扉１０２、窓ガラス１０３の開放チェックを行うルーチン３０２のフローチャートを示している。通報・警報判定手段２０３ｆにより、扉１０２、窓ガラス１０３の開放チェックが行われ、開放が検出された場合、制御装置１１４のディスプレイ１１５に、どの扉１０２あるいは窓ガラス１０３が開放しているかが表示され、警備レベルデータ２０３ｃの内容により処理を行う。
【００４２】
警備レベル１である場合は、制御装置１１４のディスプレイ１１５上に開放を検出した扉１０２あるいは窓ガラス１０３を表示する以外の動作は行わない。
【００４３】
警備レベル２である場合は、開放を検出した扉１０２あるいは窓ガラス１０３を閉める様に音声メッセージを発する。
【００４４】
警備レベル３である場合は、室外側警報器（大）１１８から不審者による侵入が発生したことを示す警報音声信号を発すると共に、通信ユニット部２０４より通信回線１１６を介して警備会社の警備センター１１７に異常発生として通報される。なお、既に警備センター１１７に通報している場合は、多重通報を防ぐために通報しない。
【００４５】
また、扉１０２、窓ガラス１０３が開放されていないとチェックされた場合、警報動作は行わず、また、一旦警備センター１１７に異常発生を通報している場合は、これが収束した旨を通報する。
【００４６】
以上の実施形態では、住人の区別を大人、子供とし、鍵の区別も大人用、子供用として、外出・帰宅検出の際はこの２つの区別を認識し、在宅者データ、警備レベルデータを更新したが、区別の方法はこれに限るものではなく、例えば、「男性、女性」、「未成年、成人、老人」の様な区別とすることや、これらを組み合わせて、さらに細分化することもできる。また、住人一人一人を識別することもできる。これらの場合、（表１）で示した警備レベルの区別も拡張・細分化することにより、在宅者状況に応じて様々な警報動作をすることが可能になる。
【００４７】
また、在宅者データによる警備レベルの区別だけでなく、時刻・天候等により警備レベルを更新する、例えば、夜１１時から翌朝６時までは大人が在宅していても、（表１）における警備レベル３相当にすることも、安全対策上、有効である。
【産業上の利用可能性】
【００４８】
以上の様に本発明は、管理空間の室内外に室内、外アンテナを設けるとともに、それらの室内、外アンテナとの交信を行うことができる鍵を設けたものであるので、外出・帰宅を自動的に検出して、警備機能をオン、オフすることができるので、極めて使い勝手の良いものとなり、施錠システムとして非常に有益なものとなる。
【図面の簡単な説明】
【００４９】
【図１】本発明の一実施形態を示す模式図
【図２】その制御ブロック図
【図３】メインのフローチャート
【図４】住人の外出・帰宅チェックのフローチャート
【図５】室内側タッチセンサ接触時処理のフローチャート
【図６】室外側タッチセンサ接触時処理のフローチャート
【図７】警備レベル更新処理のフローチャート
【図８】扉・窓ガラスの開放検出処理のフローチャート
【符号の説明】
【００５０】
１０１  家の外壁
１０２  扉
１０３  窓ガラス
１０４  室内側の扉ノブ
１０５  室内側タッチセンサ
１０６  室内側表示機
１０７  室外側の扉ノブ
１０８  室外側タッチセンサ
１０９  室外側表示機
１１０  室外側警報器（小）
１１１  室内側アンテナ
１１２  室外側アンテナ
１１３  窓センサ
１１４  制御装置
１１５  ディスプレイ
１１６  通信回線
１１７  警備会社の警備センター
１１８  室外側警報器（大）
１２１  大人用の鍵
１２２  子供用の鍵
２０１  錠
２０２  ドアスイッチ
２０３  制御部
２０３ａ  居住者データ
２０３ｂ  在宅者データ
２０３ｃ  警備レベルデータ
２０３ｄ  錠施解錠判定手段
２０３ｅ  在宅者判定手段
２０３ｆ  通報・警報判定手段
２０４  通信ユニット部
２２１  「大人」情報を記録したメモリ
２２２，２３２  制御器
２２３，２３３  アンテナ
２３１  「子供」情報を記録したメモリ
【図１】
2006301679.tif 000004
【図２】
2006301679.tif 000005
【図３】
2006301679.tif 000006
【図４】
2006301679.tif 000007
【図５】
2006301679.tif 000008
【図６】
2006301679.tif 000009
【図７】
2006301679.tif 000010
【図８】
2006301679.tif 000011